(57)【要約】【課題】資源回収の大量化および広範化を実現させることを可能にするプラスチック回収システムを提供する。【解決手段】プラスチック回収システムの第一モジュールは、第一箱体、シール剥離機、粉砕機、熱水洗浄機、薬剤除去機、浮遊洗浄機および浮遊洗浄脱水機を有する。第二モジュールは第二箱体、シール吹上機、脱水機および水処理システムを有する。シール剥離機はシール吹上機の上方に位置付けられる。シール剥離機は、シール吹上機に連絡する。粉砕機は、脱水機の上方に配置され、第二導管によって脱水機に連絡する。脱水機は、第三導管によって熱水洗浄機に連絡する。浮遊洗浄機は横に浮遊洗浄機と連絡する浮遊洗浄脱水機および薬剤除去機を有する。水処理システムは、浮遊洗浄脱水機の下方に配置され、第二水管によって浮遊洗浄脱水機に連絡する。輸送装置は、シール吹上機および粉砕機に接続される。【選択図】  図１
2010247440.tif 000002
【特許請求の範囲】
【請求項１】
第一モジュールおよび第二モジュールを備え、
前記第一モジュールは、第一箱体、シール剥離機、粉砕機、浮遊洗浄機、薬剤除去機、熱水洗浄機および浮遊洗浄脱水機を有し、
前記第二モジュールは、第二箱体、シール吹上機、脱水機および水処理システムを有し、
前記第一モジュールの前記第一箱体は、前記第二モジュールの前記第二箱体の上に重なるため、前記シール剥離機は前記シール吹上機の上方に位置付けられ、前記シール剥離機は第一導管によって前記シール吹上機に連絡し、
前記第一モジュールの前記粉砕機は、前記第二モジュールの前記脱水機の上方に配置され、第二導管によって前記脱水機に連絡し、
前記第二モジュールの前記脱水機は、第三導管によって前記第一モジュールの前記熱水洗浄機に連絡し、
前記第一モジュールの前記浮遊洗浄機は、横に当該浮遊洗浄機と連絡する前記浮遊洗浄脱水機および前記薬剤除去機を有し、
前記水処理システムは、前記第一モジュールの前記浮遊洗浄脱水機の下方に配置され、第二水管によって前記第一モジュールの前記浮遊洗浄脱水機に連絡し、
輸送装置は、前記シール吹上機および前記粉砕機に接続されることを特徴とするプラスチック回収システム。
【請求項２】
前記第二モジュールは、さらにフィルター機を有し、
前記フィルター機は、前記熱水洗浄機の下方に配置され、かつ第一水管によって前記熱水洗浄機に連絡することを特徴とする請求項１に記載のプラスチック回収システム。
【請求項３】
前記第二モジュールは、さらに前記フィルター機と連続する静電気ろ過機を有することを特徴とする請求項２に記載のプラスチック回収システム。
【請求項４】
前記第一モジュールの前記浮遊洗浄脱水機は、送出管を有し、
前記送出管は、保管槽に接続されることを特徴とする請求項１に記載のプラスチック回収システム。
【請求項５】
前記第一モジュールの前記シール剥離機に連絡する輸送ベルトを一側に増設することが可能であることを特徴とする請求項１に記載のプラスチック回収システム。
【請求項６】
前記粉砕機の中に使用された水が前記脱水機を経過して前記水処理システムに輸送される際、残渣と水とを分離させ、前記残渣は前記水処理システムによって取り出されることを特徴とする請求項２に記載のプラスチック回収システム。
【請求項７】
シールとプラスチック瓶は、前記シール剥離機によって分離し、分離された前記シールは、前記シール剥離機の一側の出口から取り出すことが可能であることを特徴とする請求項１に記載のプラスチック回収システム。
【請求項８】
前記第二モジュールは、あらゆる工作機のスイッチの制御に用いる電気制御装置を有することを特徴とする請求項１に記載のプラスチック回収システム。
【請求項９】
箱体内に粉砕機が配置され、前記粉砕機の下方に脱水機が配置され、前記脱水機が導管によって前記粉砕機に連絡することを特徴とするプラスチック回収システム。
【請求項１０】
前記脱水機は、一側に水処理システムを有し、
前記水処理システムは、前記脱水機および前記粉砕機に連絡することを特徴とする請求項９に記載のプラスチック回収システム。
【発明の詳細な説明】
【技術分野】
【０００１】
本発明は、資源回収に関し、詳しくはプラスチック回収システムに関するものである。
【背景技術】
【０００２】
現今、環境保護への意識向上および資源節約、二酸化炭素排出量削減などの要求に応じるため、多くの人または業者は、資源回収、特にプラスチック瓶回収の面においての設備または装置などの研究及び製造に投入している。プラスチック瓶は二酸化炭素排出量に大きな関係がある。かつプラスチック瓶の回収過程は回収、シール剥離、洗浄、粉砕、脱水および梱包などの作業を含むため、工程が非常に繁雑である。これらの連続作業を行なうには、非常に大きな場所で回収工場を設置し、多くの機器を配置する必要がある。かつ回収工場の設置に必要な一定の場所は環境、騒音および廃水回収処理などに関わる法規の要求を通さなければならないことが最も重要なことである。これらに関わる法規および制限のため、回収工場の設置は厳しくなり、回収工場は多くならない。特に、場所および作業員の確保にかかるコストが高くなり、環境保護法規が厳しくなっていくため、資源回収の普及化および広範化を実現させるができないだけでなく、資源を大量回収できないことが原因で地球環境への負担が重くなってしまう。
【発明の概要】
【発明が解決しようとする課題】
【０００３】
本発明の主な目的は、回収システムのモジュール化によって場所の需要を減少させ、機械設備を法規の要求に相応させ、かつ回収工場の設置の厳しさを減少させ、資源回収の大量化および広範化を実現させることを可能にするプラスチック回収システムを提供することである。
【課題を解決するための手段】
【０００４】
上述の目的を達成するために、本発明によるプラスチック回収システムは、第一モジュールおよび第二モジュールを備える。第一モジュールは第一箱体、シール剥離機、粉砕機、熱水洗浄機、薬剤除去機、浮遊洗浄機および浮遊洗浄脱水機を有する。第二モジュールは第二箱体、シール吹上機、脱水機および水処理システムを有する。第一モジュールの第一箱体は、第二モジュールの第二箱体の上に重なるため、シール剥離機はシール吹上機の上方に位置付けられる。シール剥離機は、第一導管によってシール吹上機に連絡する。第一モジュールの粉砕機は、第二モジュールの脱水機の上方に配置され、第二導管によって脱水機に連絡する。第二モジュールの脱水機は、第三導管によって第一モジュールの熱水洗浄機に連絡する。第一モジュールの浮遊洗浄機は横に浮遊洗浄機と連絡する浮遊洗浄脱水機および薬剤除去機を有する。水処理システムは、第一モジュールの浮遊洗浄脱水機の下方に配置され、第二水管によって第一モジュールの浮遊洗浄脱水機に連絡する。輸送装置は、シール吹上機および粉砕機に接続される。
【図面の簡単な説明】
【０００５】
【図１】本発明の第一実施形態の右側を示す斜視図である。
【図２】本発明の第一実施形態の左側を示す斜視図である。
【図３】本発明の第一実施形態の右側を示す側面図である。
【図４】本発明の第一実施形態の左側を示す側面図である。
【図５】本発明の第一実施形態を示す正面図である。
【図６】本発明の第一実施形態を示す平面図である。
【図７】本発明の第二実施形態を示す側面図である。
【発明を実施するための形態】
【０００６】
以下、本発明の実施の形態を図面に基づいて説明する。
（第１実施形態）
図１から図６に示すように、本発明の第１実施形態によるプラスチック回収システムは、第一モジュール１０および第二モジュール１１を備える。第一モジュール１０は、第一箱体１２、シール剥離機１３、粉砕機１４、浮遊洗浄機１５、薬剤除去機１６、熱水洗浄機１７および浮遊洗浄脱水機１８を有する。第二モジュール１１は、第二箱体１９、シール吹上機２０、脱水機２１、フィルター機２２、静電気ろ過機２３、水処理システム２４および電気制御装置２５を有する。
【０００７】
第一モジュール１０の第一箱体１２は、第二モジュール１１の第二箱体１９の上に重なるため、シール剥離機１３は、シール吹上機２０の上方に位置付けられる。シール剥離機１３は、第一導管２６によってシール吹上機２０に連絡する。第一モジュール１０の粉砕機１４は、第二モジュール１１の脱水機２１の上方に配置され、第二導管２７によって脱水機２１に連絡する。第二モジュール１１の脱水機２１は、第三導管２８によって第一モジュール１０の熱水洗浄機１７に連絡する。第一モジュール１０の浮遊洗浄機１５は、横に浮遊洗浄機１５と連絡する薬剤除去機１６および浮遊洗浄脱水機１８を有する。第一モジュール１０の浮遊洗浄脱水機１８は、送出管２９を有する。フィルター機２２および静電気ろ過機２３は、浮遊洗浄機１５の下方に配置され、第一水管３０によって薬剤除去機１６に連絡する。水処理システム２４は、第一モジュール１０の浮遊洗浄脱水機１８の下方に配置され、第二水管３１によって第一モジュール１０の浮遊洗浄脱水機１８に連絡する。第二モジュール１１の電気制御装置２５は、あらゆる工作機のスイッチの制御に用いられる。
【０００８】
輸送装置３２は、プラスチック製の物質をシール吹上機２０から粉砕機１４に輸送するため、シール吹上機２０および粉砕機１４に接続される。
保管槽３３は、回収されたプラスチック製の物質の保管に用いるため、第一モジュール１０の浮遊洗浄脱水機１８の送出管２９に接続される。
【０００９】
操作の便利を図るため、プラスチック回収システムの一側にシール剥離機に連絡する輸送ベルト４０を増設すれば、回収されたプラスチック瓶をシール剥離機に投入することが便利になる。かつ熱水洗浄機１７を作業に必要な薬剤の補充に用いる薬剤桶３４に接続することも、図２に示すように薬剤桶３４を箱体内または箱体外に配置することも可能である。
【００１０】
本実施形態では、操作の際のプロセスは、従来の回収処理のプロセスとほぼ同じであり、その説明は次の通りである。まず回収されたプラスチック、例えばプラスチック瓶、を第一モジュール１０のシール剥離機１３から投入し、シール剥離機１３によってシールを剥離し、そののち第一導管２６によって第二モジュール１１のシール吹上機２０に落下させれば、シールをプラスチック瓶から分離することが可能である。続いてシール吹上機２０の一側の出口３５から逸脱したシールを取り出し、輸送装置３２によってプラスチック瓶を第一モジュール１０の粉砕機１４に輸送する。輸送装置３２は、複数のベルト機構から構成することが可能である。本実施形態において、輸送装置３２は、三つのベルト機構から構成され、かつ箱体の外側に配置することが可能であるため、人の目による検査エリアを設置し、シールがまだ残留しているプラスチック瓶を抜き出し、再びシール剥離機に投入することが可能となる。
【００１１】
続いて、粉砕機１４によってプラスチック瓶を粉砕し、プラスチックの砕片を第二モジュール１１の脱水機２１に落下させ、脱水を行う。続いて、第一モジュール１０の熱水洗浄機１７に進み、薬剤と混合し、洗浄を行う。続いて、薬剤除去機１６によって水および薬剤を除去し、そののち浮遊洗浄機１５に進み、洗浄を行う。最後に第一モジュール１０の浮遊洗浄脱水機１８によって脱水を行い、そののち、送出管２９を経由して保管槽３３に輸送する。このとき脱水機２１の水は、水処理システム２４に流入して浄化され、そののち浮遊洗浄機１５に流入し、繰り返して使用される。残渣は、水処理システム２４によって分離し、取り出される。熱水洗浄機１７中の雑物および浮遊残渣の場合、薬剤除去機１６によって汚水分離を行い、フィルター機２２および静電気ろ過機２３によってろ過を行えば、雑物および浮遊残渣を静電気ろ過機２３から取り出すことが可能である。
【００１２】
本実施形態の機器設備全体は、製造の際に配線、水管、輸送管路および回路を予め設定し、製造が完了すると同時にテストを行なうことが可能であるため、本実施形態においての二つのモジュールが現場に搬送される際、簡単な組立および管路の接続を行いさえすれば、稼動を開始することが可能である。大きな場所を取る必要がないだけでなく、箱体そのものは音遮断および防水効果を有するため、工場の大量設置およびテストが必要でなくなる。本実施形態においての機械は箱体内に被覆され、箱体は機械が稼動する際に生じる騒音を確実に減少させることが可能であるため、騒音問題は発生しない。従って、本実施形態は、回収工場の設置に有利であるだけでなく、資源節約、二酸化炭素排出量削減および環境保護に大いに役立つことが可能である。
【００１３】
本実施形態は、工場の容積および騒音を減少させることが可能なだけでなく、水および別の処理工程において発生した廃棄物に対して分類、回収および再利用を確実に行なうことが可能である。水の部分は、粉砕機から第二モジュールの脱水機に流入し、そののち水処理システムに進んで浄化され、続いて浮遊洗浄機に進んで繰り返して使用される。水から分離した残渣および雑物は、水処理システムによって別々に処理され、取り出されるため、汚水処理問題を解決することが可能である。
【００１４】
本実施形態の重点は、モジュール化された設備を箱体内に設置することにあるため、運送および組立の便を図ることが可能なだけでなく、騒音問題および水問題を同時に解決することが可能である。かつ本実施形態は、同じ発明原理に基づいてモジュール内の工作機の位置を交換するか、必要に応じ調整することによって同じ設置効果を達成することが可能である。また本発明の配置設計によって本来容積の厖大な回収工場を確実に縮小させ、輸送空間及び設備を大幅に減少させることが可能であるため、回収作業は最もコンパクトな容積の下で最大効率を発揮することが可能となる。これは、一般の回収工場にはない長所である。
【００１５】
（第２実施形態）
本実施形態は、同じ設置原理に基づいて本実施形態においてのモジュールの組み立てを簡素化することも可能である。例えば、図７に示すように、本発明の第２実施形態において、箱体は内部に粉砕機１４を有し、粉砕機１４は下方に脱水機２１および水処理システム２４を有し、脱水機２１は送出管２９を有し、導管３６によって粉砕機１４に連絡するため、粉砕機１４内のプラスチック瓶を導管３６によって脱水機２１中に落下させることが可能である。水処理システム２４は、脱水機２１から排出された水に対しろ過、浄化および再循環を行い、粉砕機１４に回送することによって再利用を果たすため、粉砕機１４と脱水機２１に接続される。回収されたプラスチック瓶を粉砕機１４に投入すれば、瓶、キャップおよびシールを粉砕し、下方の脱水機２１に落下させ、脱水処理を行い、そののち送出管２９によって送出することが可能である。このような設計は、被覆されている空間下で騒音および環境法規の要求に相応し、かつ実際に稼動することが可能な回収設備を提供することが可能であるため、全世界の各国からの環境保護および資源節約、二酸化炭層排出量削減への要求に応えることが可能となる。
【符号の説明】
【００１６】
１０：第一モジュール、１１：第二モジュール、１２：第一箱体、１３：シール剥離機、１４：粉砕機、１５：浮遊洗浄機、１６：薬剤除去機、１７：熱水洗浄機、１８：浮遊洗浄脱水機、１９：第二箱体、２０：シール吹上機、２１：脱水機、２２：フィルター機、２３：静電気ろ過機、２４：水処理システム、２５：電気制御装置、２６：第一導管、２７：第二導管、２８：第三導管、２９：送出管、３０：第一水管、３１：第二水管、３２：輸送装置、３３：保管槽、３４薬剤桶、３５：出口、３６：導管、４０：輸送ベルト
【図１】
2010247440.tif 000003
【図２】
2010247440.tif 000004
【図３】
2010247440.tif 000005
【図４】
2010247440.tif 000006
【図５】
2010247440.tif 000007
【図６】
2010247440.tif 000008
【図７】
2010247440.tif 000009